(57)【要約】【課題】  幅木全体の高さを小さく抑え、幅木を目立たなくすることができ、しかも適切かつ確実に装着して固定することが可能で、しかも施工作業が簡単に行え、また壁紙材との見切りを良好とすることができる幅木及びその施工方法を提供する。【解決手段】  幅木１は、壁本体１１に取り付けられる幅木受体３０と、この幅木受体に着脱自在に係合される幅木本体４０を備える。壁体１０の床体２０との接合部近傍で壁下地材１１及び壁紙材１２の下部をフローリング材２２よりも上方に後退させることによって、壁下地材及び壁紙材の下端部とフローリング材の上面との間に幅木受体を収容する収容凹部１５が形成される。幅木本体には、収容凹部内においてフローリング材上面から壁下地材の下端面に至る立ち上がり部４１と、この立ち上がり部の上端から壁下地材の表面側へ延び、上方に折り曲げられて壁紙材の下端部を覆う見切り部４２が形成されている。【選択図】        図１
2015007333.tif 000002
【特許請求の範囲】
【請求項１】
壁本体に壁下地材を介して壁
紙材を貼り付けてなる壁体と床本体上にフローリング材を貼り付けてなる床体との接合部に設けられる幅木であって、
この幅木は壁本体に取り付けられる幅木受体と、この幅木受体に着脱自在に係合される幅木本体とを備え、
前記壁体の床体との接合部近傍で前記壁下地材及び壁紙材の下部を前記フローリング材よりも上方に後退させることによって、前記壁下地材及び壁紙材の下端部と前記フローリング材の上面との間に前記幅木受体を収容する収容凹部が形成され、前記幅木本体には、前記収容凹部内において、前記フローリング材上面から壁下地材の下端面に至る立ち上がり部と、この立ち上がり部の上端から壁下地材の表面側へ延び、上方に折り曲げられて壁紙材の下端部を覆う見切り部が形成されていることを特徴とする幅木。
【請求項２】
請求項１記載の幅木を施工する施工方法であって、
前記壁本体及び前記床本体を施工した後、
前記壁本体の室内側下方に所定寸法の施工治具を横方向に配置することにより、前記壁下地材を、この施工治具の高さ分だけ上方に持ち上げた状態で取付け、
さらにこの壁下地材の室内側に壁紙材を貼り付けるとともに、
前記床本体上にフローリング材を、その壁体側先端が前記壁本体に接近する位置まで貼り付けし、
しかる後、このフローリング材の上面と前記壁下地材、壁紙材の下端部との間で前記壁本体の室内側に形成される幅木受体の収容凹部内に、幅木受体を収容して前記壁本体に固定し、
さらに前記幅木本体を、前記収容凹部内に組み込んで、前記幅木受体に係合させ、前記見切り部を、前記壁紙材の下端部を覆うように当接させることを特徴とする幅木の施工方法。
【発明の詳細な説明】
【技術分野】
【０００１】
本発明は、壁と床との接合部（取り合い部）に設けられる幅木及びその施工方法に関する。
【背景技術】
【０００２】
従来この種の幅木として、幅木受体と幅木本体とからなり、床との接合部近傍の壁体に止着した幅木受体に幅木本体を係合させるようにした構造が知られている。
【０００３】
ところで、この種の幅木を取り付けた壁体の被装飾面に壁仕上材としてクロスを貼着する場合には、従来一般には、クロスを幅木との境界で切断し、被装飾面にクロスの裏側面を糊付けしていた。しかし、このような構造では、クロスと幅木との間に隙間が生じたりしないようにクロスを過不足なく切断するのは極めて困難であり、熟練した専門職人によらなければクロスの貼着作業が行えないだけでなく、クロスの下端縁部が何等壁体等に押え付けられていないので、その貼着後、経年劣化により下端縁部が捲れる等の問題があった。
【０００４】
このため、壁体の下部の幅木受体収容部内にねじ止めした幅木受体と、これに着脱自在に組付けられる幅木本体とを備え、この幅木本体を幅木受体に組付ける際に、クロスの下端縁部をしごきながら巻き込み、幅木受体と幅木本体との間に形成した収納部に収納するようにした構造が従来既に提案されている（例えば、特許文献１参照）。
【０００５】
このような幅木を用いると、幅木の壁体からの突出量を極力小さくすることができるだけでなく、幅木内にクロスの下端縁部が収納されることによって、クロスの下端縁部を切断する際の作業が容易になり、施工作業が容易に行える。
【先行技術文献】
【特許文献】
【０００６】
【特許文献１】特許第３０１２７３３号公報
【発明の概要】
【発明が解決しようとする課題】
【０００７】
しかし、上述した特許文献１の構造によれば、幅木本体の高さをある程度高くすることが必要となるために、幅木が大きくなって目立つという問題を生じている。また、上述した幅木構造では、構成部品が大きくなり、施工作業が煩雑となるといった問題もある。
【０００８】
さらに、上述した従来構造によれば、幅木を含めた室内の施工にあたっては、施工手順が煩雑で、無駄が多いものであり、このような施工手順を見直しし，全体で簡単かつ効率のよい施工を行えるような、何らかの対策を講じることが望まれている。
【０００９】
すなわち、上述した従来の幅木を施工するにあたっては、床本体となる床パネル、壁本体となる壁パネルを施工した後、床パネル上にフローリング材を施工し、養生した後、幅木を構成する幅木受体を含めた内部造作、建具を設け、しかる後壁下地材である石膏ボード、壁紙材であるクロスを、壁パネルの室内側に順次貼り付けている。ここで、幅木を構成する幅木本体は、上述したクロスの下端を所定長さで切断し、この部分を巻き込む状態で、幅木受体に組付けることで、幅木の施工が完了する。
【００１０】
しかし、このような従来の施工手順では、幅木を組付けるにあたって、先に幅木受体を取付し、石膏ボードやクロスなどを組付けてから、幅木本体を装着することで幅木の取付を行っており、施工作業が繁雑で、また時間もかかり、効率面でも問題であった。
【００１１】
本発明はこのような事情に鑑みてなされたものであり、幅木全体の高さを小さく抑え、幅木を目立たなくすることができ、しかも適切かつ確実に装着して固定することが可能で、しかも幅木を含む施工が簡単かつ効率よく行え、また壁紙材との見切りを良好とすることができる幅木及びその施工方法を得ることを目的とする。
【課題を解決するための手段】
【００１２】
このような目的に応えるために本発明（請求項１記載の発明）に係る幅木は、壁本体に壁下地材を介して壁紙材を貼り付けてなる壁体と床本体上にフローリング材を貼り付けてなる床体との接合部に設けられる幅木であって、この幅木は壁本体に取り付けられる幅木受体と、この幅木受体に着脱自在に係合される幅木本体とを備え、壁体の床体との接合部近傍で壁下地材及び壁紙材の下部をフローリング材よりも上方に後退させることによって、壁下地材及び壁紙材の下端部とフローリング材の上面との間に前記幅木受体を収容する収容凹部が形成され、幅木本体には、収容凹部内において、フローリング材上面から壁下地材の下端面に至る立ち上がり部と、この立ち上がり部の上端から壁下地材の表面側へ延び、上方に折り曲げられて壁紙材の下端部を覆う見切り部が形成されていることを特徴とする。
【００１３】
本発明（請求項２記載の発明）に係る幅木の施工方法は、請求項１記載の幅木を施工するにあたって、壁本体及び床本体を施工した後、壁本体の室内側下方に所定寸法の施工治具を横方向に配置することにより、壁下地材を、この施工治具の高さ分だけ上方に持ち上げた状態で取付け、さらにこの壁下地材の室内側に壁紙材を貼り付けるとともに、床本体上にフローリング材を、その壁体側先端が壁本体に接近する位置まで貼り付けし、しかる後、このフローリング材の上面と壁下地材、壁紙材の下端部との間で壁本体の室内側に形成される幅木受体の収容凹部内に、幅木受体を収容して前記壁本体に固定し、さらに幅木本体を、収容凹部内に組み込んで、幅木受体に係合させ、見切り部を、壁紙材の下端部を覆うように当接させることを特徴とする。
【発明の効果】
【００１４】
以上説明したように本発明に係る幅木及びその施工方法によれば、壁体の床体との接合部近傍で壁下地材及び壁紙材の下部をフローリング材よりも上方に後退させることによって、壁下地材及び壁紙材の下端部とフローリング材の上面との間に幅木受体を収容する収容凹部を形成し、また幅木本体に、収容凹部内において、フローリング材上面から壁下地材の下端面に至る立ち上がり部と、この立ち上がり部の上端から壁下地材の表面側へ延び、上方に折り曲げられて壁紙材の下端部を覆う見切り部を形成するようにしたので、簡単な構造であるにもかかわらず、以下に述べる種々優れた効果を奏する。
【００１５】
すなわち、本発明によれば、幅木受体、幅木本体としては壁体下端の収容凹部内に組み込まれる程度の大きさをもつものであればよく、幅木全体の高さを小さく抑え、幅木を可能な限り目立たないようにすることができ、また単に、幅木本体の見切り部を、壁下地材に貼り付けた壁紙材の下端部を覆う程度の大きさとすればよいため、壁紙材下端部における見切りを適切に、しかも確実に行うことができる等の利点がある。さらに、このような幅木は、部材を小さくできることから、作業が比較的簡単に行えるものであり、施工が容易になる等の利点もある。
【００１６】
また、本発明によれば、幅木の施工にあたって、床パネルや壁パネル、さらには内部造作下地、石膏ボードやクロスを順次施工し、さらにフローリング材も施工した後、内部建具としての幅木を組付ける施工手順となっており、全体の施工が適切かつ効率よく行えるとともに、当該幅木のリフォーム時などにおいての交換作業も他の部位には無関係に、簡単に行える等の利点がある。
【図面の簡単な説明】
【００１７】
【図１】本発明に係る幅木及びその施工方法の一実施形態を示す要部断面図である。
【図２】本発明に係る幅木の施工方法を説明するための第１ステップの説明図である。
【図３】本発明に係る幅木の施工方法を説明するための第２ステップの説明図である。
【図４】本発明に係る幅木の施工方法を説明するための第３ステップの説明図である。
【図５】本発明に係る幅木及びその施工方法の別の実施形態を示す、小壁の戸当たり部に適用された幅木を説明するための概略斜視図である。
【図６】図５の横断面図である。
【図７】本発明に係る幅木及び幅木の施工方法を小壁のコーナ造作材に適用した場合を示す概略分解断面図である。
【図８】図７のコーナ造作材を組付けた状態を示す概略断面図である。
【発明を実施するための形態】
【００１８】
図１ないし図４は本発明に係る幅木及びその施工方法の一実施形態を示す。
これらの図において、符号１で示すものは幅木であり、この幅木１は、壁本体１１に壁下地材（例えば石膏ボード）１２を介して壁紙材（例えばクロス）１３を貼り付けてなる壁体１０と床本体２１上にフローリング材２２を貼り付けてなる床体２０との接合部（取り合い部）に設けられる。
【００１９】
前記幅木１は、壁本体１１に取り付けられる幅木受体３０と、この幅木受体３０に着脱自在に係合される幅木本体４０とを備えている。
前記幅木受体３０は、前記壁本体１１に押し当てられる帯板部３１と、この帯板部３１から室内側に延びた上、下係止爪部３２，３３とを備え、全体が長尺帯板状に形成されている。この幅木受体３０は、止着ねじ３５により、前記壁本体１１の所定個所（後述する収容凹部１５内）にねじ止め固定されている。
【００２０】
ここで、前記壁体１０において、床体２０との接合部近傍で前記壁下地材１２及び壁紙材１３の下部を前記フローリング材２２よりも上方に後退させることによって、前記壁下地材１２及び壁紙材１３の下端部と前記フローリング材２２の上面との間に前記幅木受体３１を収容する収容凹部１５が形成されている。
【００２１】
一方、前記幅木本体４０は、前記収容凹部１５内において、前記フローリング材２２の上面から壁下地材１２の下端面に至る立ち上がり部４１と、この立ち上がり部４１の上端から壁下地材１２の表面側へ延び、上方に折り曲げられて壁紙材の下端部を覆う見切り部４２とが形成されている。そして、この幅木本体４０の壁本体１１側の面には、前記上、下係止爪部３２，３３と係合する上、下係止片部４３，４４が形成され、これらの係合、係合解除によって、幅木受体３０に対し幅木本体４０が着脱自在に構成されている。
【００２２】
ここで、上述した幅木受体３０と幅木本体４０とは、それぞれ図面に示した断面形状をもつ長尺部材として樹脂材、その他の材料による押し出し成形等で形成されるものを用いるとよい。なお、このような樹脂材としては、硬質樹脂、軟質樹脂など、必要に応じて適宜採用すればよい。
【００２３】
以上の構成による幅木１の施工は、図２〜図４、図１の手順で行われる。
これを簡単に説明すると、本発明によれば、幅木１を構成する幅木受体３０と幅木本体４０とは、壁体１０、床体２０等を施工した後に行われる。
【００２４】
これを詳述すると、壁本体１１及び床本体２１を施工した後、図２に示すように、壁本体１１の室内側下方に、例えば角パイプ等のような所定寸法の施工治具５０を横方向（水平方向に）に沿わせて配置することにより、石膏ボードによる壁下地材１２を、この施工治具５０の高さ分だけ上方に持ち上げた状態で壁本体１１に対し取付け固定する。さらに、この壁下地材１２の室内側にクロスによる壁紙材１３を貼り付け、壁体１０側を施工する。
なお、上述した壁本体１１、床本体２１は、いずれを先に施工してもよいことは言うまでもない。
【００２５】
一方、床体２０において、床本体２１上に床仕上げ材としてのフローリング材２２を、図３に示すように、その壁体１０側先端が壁本体１１に接近する位置まで貼り付ける。これにより，図３に示されるように、壁体１０側において、壁下地材１２、クロス１３の下端部分には、床体２０側のフローリング材２２の上面との間に、収容凹部１５が形成されることになる。
【００２６】
しかる後、このフローリング材２２の上面と壁下地材１２、壁紙材１３の下端部との間で壁本体１１の室内側に形成される幅木受体３０の収容凹部１５内に、図４に示すように、幅木受体３０を収容して前記壁本体１１にねじ止め固定する。
さらに、前記幅木本体４０を、収容凹部１５内に組み込んで、幅木受体３０に係合させ、見切り部４２を、壁紙材１３の下端部を覆うように当接させることで、図１に示す状態になる。
【００２７】
以上のような本発明による幅木１及びその施工方法によれば、簡単な構造であるにもかかわらず、幅木受体３０、幅木本体４０としては壁体１０下端の収容凹部１５内に組み込まれる程度の大きさをもつものであればよく、幅木１全体の高さを小さく抑え、幅木１を可能な限り目立たないようにすることができ、また単に、幅木本体４０の見切り部４２を、壁下地材１２に貼り付けた壁紙材１３の下端部を覆う程度の大きさとすればよいため、壁紙材１３下端部における見切りを適切に、しかも確実に行うことができる。さらに、このような幅木１は、部材を小さくできることから、作業が比較的簡単に行えるものであり、施工が容易になる等の利点もある。
【００２８】
また、本発明によれば、幅木１の施工にあたって、床パネルによる壁本体１１や壁パネルによる床本体２１、さらには内部造作下地、例えば石膏ボード等による壁下地材１２やクロス等による壁紙材１３を順次施工し、さらにフローリング材２２も施工した後、内部建具としての幅木１を組付ける施工手順となっており、全体の施工が適切かつ効率よく行える。さらに、本発明によれば、当該幅木１のリフォーム時などにおいての交換作業も他の部位には無関係に行えることから、簡単かつ適切に行えるものである。
【００２９】
なお、本発明は上述した実施形態で説明した構造等には限定されず、幅木１を構成する幅木受体３０及び幅木本体４０等の各部の形状、構造等を適宜変形、変更し得ることはいうまでもない。要は、壁体１０の下端側に形成した収容凹部１５内に、係止爪部３２，３２等の係止部を有する幅木受体３０を設け、該係止部に着脱自在に係合する係止片部４３，４４を有するとともにフローリング材２２の上面から壁下地材１２の下端面に至る立ち上がり部４１と、その上端から壁下地材１２の表面側へ延び、さらに上方に折り曲げられて壁紙材１３の下端部を覆う見切り部４２とを備えた幅木本体４０を用いることで幅木１を構成すればよい。
【００３０】
また、上述した実施形態では、本発明に係る幅木１を、建物の室内において、壁体１０の床体２０との接合部分に設ける場合を説明したが、例えば図５、図６に示すような小壁６０の先端部両側に形成されるコーナと、該コーナ間に形成される段差部分には、コーナ部材６２，６２、戸当たり部材６４が設けられているが、これらの部材６２，６４間に、前記幅木１を設けるようにすればよい。ここで、図６中、符号６６は扉であり、前記戸当たり部材６４に当接可能に構成されている。
【００３１】
また、前記コーナ部材６２，６２は、図７、図８に示すような構成とするとよい。すなわち、符号７１は取付ベース材で、止着ねじ７２で小壁６０のコーナに設けたＬ字状空間部分に固定されている。この取付ベース材７１には被係止部７１ａ，７１ａが設けられ、これらの被係止部７１ａ，７１ａに着脱自在に係止される係止爪７３ａ，７３ａを有するコーナカバー材７３が設けられている。ここで、このコーナ部材６２，６２において、取付ベース材７１は硬質性樹脂材などで、コーナカバー材７３は軟質性樹脂材などで形成するとよい。
【符号の説明】
【００３２】
１  幅木
１０  壁体
１１  壁本体（壁パネル）
１２  壁下地材（例えば石膏ボード）
１３  壁紙材（例えばクロス）
１５  収容凹部
２０  床体
２１  床本体（床パネル）
２２  フローリング材
３０  幅木受体
３１  帯板部
３２  上係止爪部
３３  下係止爪部
３５  止着ねじ
４０  幅木本体
４１  立ち上がり部
４２  見切り部４２
４３  上係止片部
４４  下係止片部
５０  施工治具
【図１】
2015007333.tif 000003
【図２】
2015007333.tif 000004
【図３】
2015007333.tif 000005
【図４】
2015007333.tif 000006
【図５】
2015007333.tif 000007
【図６】
2015007333.tif 000008
【図７】
2015007333.tif 000009
【図８】
2015007333.tif 000010